(57)【特許請求の範囲】
【請求項１】
細長い容器（１０）を含む水耕生育システムであって、前記細長い容器が、少なくとも、
第１の側壁（３４）、反対側の第２の側壁（３６）、および底壁（６０）であって、全てが前記容器の長手方向に延在して、上部が開いている前記容器の中央内の空間の範囲を定める、第１の側壁（３４）、反対側の第２の側壁（３６）、および底壁（６０）と、
前記底壁（６０）に接続され、前記第１の側壁（３４）と前記第２の側壁（３６）との間に配置された仕切り壁構造（２０）であって、前記仕切り壁構造（２０）は、前記容器の前記長手方向に延在し、かつ、前記中央の空間を、上部が開いている隣接した２つの細長い溝（１２，１４）に分割する、仕切り壁構造（２０）と、
を備え、
各溝は、植物（７２）の栽培のために植物を配置する一または複数の基体（７４、７６）を受け入れるようになっており、
各溝は、前記容器に沿って灌漑水を運び、灌漑水が前記容器内に供給されるとき、前記一または複数の基体（７４、７６）に前記灌漑水を分配するようになっている、水耕生育システムにおいて、
前記仕切り壁構造（２０）が、前記容器（１０）の前記長手方向に延在する細長い越流チャネル（２２）を含み、
前記細長い越流チャネル（２２）が、余剰の灌漑水を受け入れるように構成され、かつ、前記容器から前記余剰の灌漑水を排出するために前記余剰の灌漑水を前記隣接した溝（１２，１４）を越えて前記容器に沿って前方に案内するようになっている、生育システム。
【請求項２】
前記越流チャネル（２２）が、前記容器の前記第１の端部（６６）において前記容器の前記第１の端部（６６）内に供給された灌漑水を受け入れるように構成され、かつ、灌漑水を前記隣接した溝（１２、１４）を越えて前記容器の前記反対側の第２の端部（７０）の方へ案内するように構成される、請求項１に記載の生育システム。
【請求項３】
前記越流チャネル（２２）が、その長さの全体にわたってまたはその長さのほぼ全体にわたって上部が閉じられている、請求項１または２に記載の生育システム。
【請求項４】
前記越流チャネル（２２）が、前記灌漑水が前記隣接した溝（１２、１４）に沿って前方に流される前記容器の前記底壁（６０）に対して高い位置に配置される、請求項１から３のいずれか一項に記載の生育システム。
【請求項５】
前記越流チャネル（２２）が底壁（５８）を備え、前記灌漑水が前記底壁上を前記越流チャネル（２２）に沿って流れることができ、前記底壁が、前記灌漑水が前記隣接した溝（１２、１４）に沿って前方に流れることができる前記容器の前記底壁（６０）よりも高い位置に配置される、請求項１から３のいずれか一項に記載の生育システム。
【請求項６】
前記仕切り壁構造（２０）が、２つ以上の開口部、間隙、または穴（７８）を備え、前記２つ以上の開口部、間隙、または穴が、
ａ）前記越流チャネルから前記開口部へ、および前記溝（１２、１４）から前記越流チャネル（２２）へ、灌漑水を運ぶように構成され、または、
ｂ）１つの溝（１２、１４）から別の溝（１２、１４）へ、またその反対に灌漑水を運ぶように構成され、または、
ａ）およびｂ）の両方の選択肢に従って灌漑水を運ぶように構成される、
請求項１から５のいずれか一項に記載の生育システム。
【請求項７】
前記容器（１０）の少なくとも一方の端部（６６、７０）において、前記第１の側壁（３４）および第２の側壁（３６）ならびに底壁（６０）が、前記仕切り壁構造（２０）よりも前記容器の前記長手方向にさらに延在する、請求項１から６のいずれか一項に記載の生育システム。
【請求項８】
前記容器（１０）の少なくとも一方の端部（６６）が、端壁（６２）によって閉じられる、請求項１から７のいずれか一項に記載の生育システム。
【請求項９】
前記溝（１２、１４）の少なくとも一方が、
前記生育基体（７４、７６）のための、前記溝（１２、１４）の上方部分内に配置される上方空間（３８、４０）と、
灌漑水のための、前記溝（１２、１４）の下方部分内に配置される下方空間（２４、２６）であって、１つまたは複数の穴またはスリット（２８、３０）を介して前記上方空間（３８、４０）に接続され、その中を前記灌漑水が前記溝（１２、１４）に沿って前方に流れることができる、下方空間と、
を含む、請求項１から８のいずれか一項に記載の生育システム。
【請求項１０】
前記上方空間（３８、４０）が、下に向かって先細になる断面を有しかつ前記穴またはスリット（２８、３０）を介して前記下方空間（２４、２６）に開いている形状を有する、請求項９に記載の生育システム。
【請求項１１】
前記下方空間（２４、２６）が、前記容器（１０）の前記長手方向に延在する灌漑チャネルを構成し、前記灌漑チャネルが、前記灌漑水を前記容器に沿って前方に運ぶように構成され、かつ、前記容器の前記横断方向において前記穴またはスリット（２８、３０）の幅よりも広い幅を有する、請求項９または１０に記載の生育システム。
【請求項１２】
前記穴またはスリット（２８、３０）が、細長いものであり、かつ、前記容器の前記長手方向に延在する、請求項９から１１のいずれか一項に記載の生育システム。
【請求項１３】
前記第１の側壁（３４）および第２の側壁（３６）が、前記底壁（６０）の下方に延在して、前記容器（１０）を支持する脚構造（４２、４４）を構成する、請求項１から１２のいずれか一項に記載の生育システム。
【請求項１４】
前記容器の少なくとも一方の端部（７０）が、前記容器から灌漑水を排出するために開いているか、または、
前記容器の少なくとも一方の端部（７０）において、前記第１の側壁（３４）および第２の側壁（３６）が、前記底壁（６０）よりも前記容器の前記長手方向にさらに延在するか、または、
前記容器の少なくとも一方の端部（７０）において、前記底壁（６０）が開口部を備える、
請求項１から１２のいずれか一項に記載の生育システム。
【発明の詳細な説明】
【技術分野】
【０００１】
本発明は、水耕生育システムに関する。
【背景技術】
【０００２】
温室内での青野菜の生育は、水耕栽培システム、および例えば細長い容器の使用に基づく。容器は、上部が開いており、または、容器の上面は、苗が配置される開口部を備える。容器は、植物のための基体（ｓｕｂｓｔｒａｔｅ）で満たされ、または、基体として機能する根鉢を有する苗が、開口部内に配置される。基体の材料は、例えば、泥炭、またはグラスウールなどの鉱物綿である。根鉢はまた、支持構造によって取り囲まれてもよく、この支持構造は、例として、例えばプラスチックまたは圧縮された泥炭で作られた、メッシュ様のポットである。植物の種が基体に蒔かれてもよく、この基体は、容器内に配置される細長いまたはリボン様の要素であり得る。
【０００３】
公開ＷＯ２０１２／１７２１８７Ａ１は、水耕生育システム、および植物の栽培のための細長い容器を開示しており、その容器内には、生育基体が配置され得る。前述の容器は、温室内で利用され得る。
【０００４】
容器は、温室内の栽培台（ｃｕｌｔｉｖａｔｉｏｎ  ｔａｂｌｅ）上に配置され、ここでは、植物の苗は、収穫される状態になるまで生長させられる。いくつかの例では、蒔かれた種の発芽もまた、栽培台上の容器内で行われる。通常、植物に自動的に水をやりかつ容器を前方に移動させる、自動化された栽培台が使用され、その移動方向は、容器の長手方向を横切る方向である。栽培台はまた、植物が大きく生長するにつれて容器の間隔が自動的に増大されるように、容器の間隔を変更する。
【０００５】
苗の根は、容器内に配置され、容器内には、栄養素を含む灌漑水も供給される。苗の根は、必要とされる灌漑水を取り入れ、灌漑水の一部は、基体に吸収され、灌漑水のうちの利用されない分は、容器に沿って排出され得る。一例では、灌漑水は、容器の一方の端部を介して容器内に導入され、余剰の灌漑水は、容器の反対側のもう一方の端部を介して容器から排出される。容器は、製造法として例えば押出し成形を適用することにより、例えばプラスチックで作られる。
【０００６】
サイズの異なるいくつかの植物に対する容器の適切さは、不十分である。さらに、容器は、容器に沿って灌漑水を運ぶこと、およびその量を制御することに関して、欠点を有する。
【発明の概要】
【０００７】
本発明による水耕生育システムが、請求項１に提示される。
次に、温室内での植物、特に青野菜の栽培の強化、および容器の運用を改善するための、解決手段が提示される。
【０００８】
一実施形態によれば、本解決手段は、細長い容器を備える水耕生育システムである。前述の容器は、少なくとも、第１の側壁、反対側の第２の側壁、および底壁を備え、それらの壁は全て、容器の長手方向に延在して、上部が開いている容器の中央の空間の範囲を定める。
【０００９】
さらに、容器は、容器の長手方向に延在して容器の中央の空間を隣接した２つの細長い溝に分割する、第１の壁と第２の壁との間に配置された仕切り壁構造を備える。前述の溝は、上部が開いており、植物の栽培のための１つまたは複数の基体が、それぞれに配置され得る。したがって、いくつかの植物が、容器の長手方向に次々に配置され得る。
【００１０】
本解決手段によれば、同一の容器において、２つの隣接した植物の列が栽培され得る。利点は、各容器に１つの列にのみ収まる植物よりも植物のサイズが小さい場合に、特に得られる。このようにして、いくつかの容器が互いに隣接して栽培台上に配置される水耕生育システムで利用される栽培台において、より良好な空間利用とより高い植物密度とが得られる。栽培台は、上述のように、自動化されることが好ましい。
【００１１】
提示した解決手段によれば、２つの植物の列を有しかつ１つの植物の列に対して従来の容器の幅に相当する幅を有する容器を使用することが、今や可能である。利点は、提示した解決手段による容器を適用することに対して、例えば従来の栽培台の運用に全く修正が必要とされないかまたは僅かな修正しか必要とされないことである。
【００１２】
本解決手段の一例によれば、仕切り壁は、容器の長手方向に延在する、細長い越流チャネルを含む。越流チャネルは、容器に供給された灌漑水を受け入れるように構成され、かつ、灌漑水を隣同士の上述の溝を越えて容器に沿って前方に案内するように構成される。
【００１３】
この例の利点は、容器内の灌漑水の量および流れの制御が向上することである。独立した越流チャネルにより、余剰の灌漑水が、容器から効率的に排出され得る。越流チャネルの設置により、例えば、その高さ位置の選択により、灌漑水の水位がどの程度の高さまで上昇を許容されるかを制御することができる。灌漑水の量および流れの制御が向上することにより、例えば生育基体に使用される材料が灌漑水に同伴されるかまたは容器から洗い流されるのを回避することも、より容易になる。
【００１４】
越流チャネルにより、灌漑水は、上述の灌漑水を対象とする溝または他のチャネルがシルトで浅くなった場合でも、容器から排出され得る。前述の溝または灌漑チャネルを埋めるまで生長した植物の根により、閉塞も起こり得る。越流チャネルにより、灌漑水を、閉塞した溝または灌漑チャネルから閉塞部を越えて、前述の溝または灌漑チャネルに戻すことが可能である。
【００１５】
本解決手段の一例によれば、前述の溝は、溝の頂部に配置されかつ基体を対象とする上方空間と、溝の底部に配置されかつ灌漑水を対象とする下方空間とを含み得る。下方空間は、１つまたは複数の穴またはスリットを介して、上方空間に接続される。下方空間では、灌漑水が、容器の開口部に沿って前方に流れることができる。
【００１６】
利点は、例えば漏斗形状により生育基体を保持する、独立した上方空間である。植物の根は、灌漑水が流れる独立した上方空間まで、前述の穴またはスリットを通って生長することすらできる。灌漑水は、前述の穴またはスリットを介して、基体内に吸収され得る。灌漑水は、生育基体のみを通過する場合よりも、独立した下方空間を介してより容易に容器に沿って流れることになる。
【００１７】
提示した解決手段による容器は、例えば、ＷＯ２０１２／１７２１８７Ａ１の水耕栽培システムにおいて適用され得る。水耕生育システムはまた、提示した解決手段による容器に灌漑水を分配するための手段を含む、自動化されかつこの説明において提示されたように機能する栽培台を備え得る。
【００１８】
以下において、添付の図面を参照しながら、提示した解決手段を説明する。
【図面の簡単な説明】
【００１９】
【図１】本解決手段の一例による容器を容器の端部からの断面図で示す図である。
【図２】図１による細長い容器の構造を示す図である。
【図３】容器内に配置された基体を含む、容器の端部から見た図１の容器の断面を示す図である。
【図４】隣り合った図１による容器を容器の端部からの断面図で示す図である。
【図５】容器の一方の端部から見た、図２による容器を示す図である。
【図６】容器の側面から、また、図５の位置Ａ−Ａにおける断面として見た、図２の容器の断面を示す図である。
【発明を実施するための形態】
【００２０】
以下において、添付の図面１から６を参照しながら、提示した解決手段を説明する。図面では、同一の参照番号は、同一のまたは対応する部品を示すために使用されている。
図１および２は、細長い容器１０を含む、本解決手段の一例による水耕生育システムを示す。図１は、容器１０の長手方向断面を示し、容器１０は、実質的に水平である使用位置で示されている。
【００２１】
容器は、少なくとも、第１の側壁３４、反対側の第２の側壁３６、および底壁６０を備えることができ、これらの壁は全て、容器１０の長手方向に延在して、上部が開いている容器１０の中央内の空間を区切る。
【００２２】
いくつかの容器１０が栽培台上に配置されてもよく、栽培台は、好ましくは、隣接する容器内の植物の灌漑を自動化された方法で管理し、かつ、容器を前方に移動させ、さらに、植物が大きく成長するにつれて間隔が増大するように、容器の間隔を変更する。次に図２を参照すると、灌漑水が、栽培台上の容器１０の一方の端部６６に供給され、灌漑水は、容器１０の反対側の第２の端部７０を介して容器から排出される。
【００２３】
本解決手段の一例において、また、図１によれば、容器１０は、容器１０の内側に側壁３４、３６から離間して第１の側壁３４と第２の側壁３６との間に配置されて容器１０の長手方向に延在する、仕切り壁構造２０を備える。仕切り壁構造２０は、容器１０の中央空間を、上部が開いている隣接した２つの細長い溝１２、１４に分割する。
【００２４】
植物の栽培のために、容器１０の溝１２、１４内に別体の生育基体７４、７６を挿入することができ、そこに植物７２が配置される。溝１２、１４の機能は、容器１０に沿って灌漑水を運ぶこと、および、その灌漑水を基体７４、７６に分配することである。
【００２５】
生育基体７４、７６は、細長いまたはリボン様の材料で構成され得る。基体７４、７６はまた、単一もしくは別体の部品または要素で構成されてもよく、または、基体７４、７６は、容器１０内に配置されかつ栽培に適した緩やかな材料で形成されてもよい。使用される基体は、例えば、泥炭、またはグラスウールなどの鉱物綿、さらには発泡粘度であってもよい。基体７４、７６に植物の苗が配置されてもよく、または、基体７４、７６に種が蒔かれてもよく、それらは、例えば栽培台上でまたは別の場所において、容器内で発芽させられる。
【００２６】
容器１０は、例えば押出し成形によりプラスチックから作られ、図１に示された容器１０の断面形状は、図２に示されるように、細長い容器１０の長手方向に連続して延在する。容器１０は、一様であることが好ましく、また、その様々な部品は、継ぎ目なく互いに継合されることが好ましい。
【００２７】
一例、および図１によれば、側壁３４、３６は、それらの使用位置において垂直であってもよく、底壁６０は、水平であってもよい。側壁３４、３６、および底壁６０により、容器１０は、例えばＵ字形状またはＨ字形状に相当するように形成される。側壁３４、３６は、好ましくは垂直である、側表面１６、１８を有し得る。
【００２８】
側壁３４は、可変厚の壁４２、４６、４８を備えることができ、それらの壁はまた、容器１０の長手方向に延在し得る、開いたまたは閉じたチャンバまたはチャネルを包囲し得る。側壁３６は、可変厚の壁５０、５２、４４を備えることができ、それらの壁はまた、容器１０の長手方向に延在し得る、開いたまたは閉じたチャネルのチャンバを包囲し得る。
【００２９】
一例、および図１によれば、側壁３４、３６は、底壁６０の下方に垂直方向に延在してもよく、それらの下方部分は、壁４２、４４と一緒に、容器１０が上に載りまた底壁６０を所望の高さに保持する、脚構造を形成する。
【００３０】
一例、および図１によれば、少なくとも一方の側壁３４、３６の頂部は、壁４６、４８、５０、５２と一緒に、容器１０の横断方向において下に向かって幅広になる、容器１０の内側の構造を形成する。前述の構造の断面は、例えば、三角形、または直角三角形の形状を有し得る。前述の幅広になる構造は、底壁６０まで、または底壁６０の近くまで下方に延在するか、または、容器１０の中間部分で終わる。
【００３１】
仕切り壁構造２０は、可変厚の壁３２、５４、５６、５８を備えることができ、それらの壁はまた、容器１０の長手方向に延在し得る、開いたまたは閉じたチャネルのチャンバを包囲し得る。
【００３２】
一例、および図１によれば、仕切り壁構造２０の下方部分は、壁３２と一緒に脚構造を形成し、この脚構造を介して、仕切り壁構造２０は、底壁６０に接続される。仕切り壁構造２０は、側壁３４、３６の少なくとも一方と同じ高さまで上方に延在することが好ましい。側壁３４、３６は、同じ高さを有することが好ましい。また、仕切り壁構造２０は、実質的に側壁３４、３６の両方から等距離の所で、容器１０内で中央に配置されることが好ましい。
【００３３】
一例、および図１では、仕切り壁構造２０の頂部は、壁５４、５６、５８と一緒に、容器１０の横断方向において下に向かって幅広になる、容器１０の内側の構造を形成する。前述の構造は、例えば切頭角錐または円錐の断面形状をとる。別の例では、前述の構造は、仕切り壁構造２０の片側のみに与えられ、それにより、前述の構造は、例えば三角形または直角三角形の断面形状をとる。前述の幅広になる構造は、底壁６０まで、または底壁６０の近くまで下方に延在するか、または、容器１０の中間部分で終わって、脚構造として働く壁３２に固定される。
【００３４】
仕切り壁構造２０および側壁３４、３６の両方が、下に向かって幅広になる形状を有する場合、溝１２、１４の頂部は、容器１０の横断方向において下に向かって幅狭になる。先細の溝１２、１４のそれぞれ、またはそれらの一方が、底壁６０まで、または底壁６０の近くまで下方に延在するか、または容器１０の中間部分で終わる。
【００３５】
一例、および図１では、仕切り壁構造２０は、容器１０の長手方向に延在する、細長い越流チャネル２２を備え得る。
越流チャネル２２の機能は、容器１０内に供給された灌漑水を受け入れること、および、必要であれば灌漑水の少なくとも一部が溝１２、１４とその中に配置された基体７４、７６とを迂回し得るように、灌漑水を容器１０に沿って前方に運ぶことである。
【００３６】
越流チャネル２２は、上述の仕切り壁構造２０内に形成された、開いたまたは閉じたチャンバまたはチャネルであってもよい。一例、および図１では、壁５４、５６、５８が、越流チャネル２２を区切り、越流チャネル２２は、少なくとも部分的に、頂部においてまたは下方から開いていてもよい。越流チャネル２２は、頂部が閉じられておりかつ壁５４、５６、５８によって囲まれていることが好ましい。
【００３７】
一例、および図１では、越流チャネル２２は、底壁６０に対して高い位置に配置される。言い換えれば、越流チャネル２２は、それに沿って灌漑水が流される溝１２、１４の下方部分よりも、容器１０の垂直方向においてより高い位置に配置される。
【００３８】
一例、および図１では、灌漑水は、それに沿って灌漑水が越流チャネル２２内を流れることができる越流チャネル２２の高さよりも低い位置に底壁６０が配置されるように、底壁６０に沿って溝１２、１４内を流れる。越流チャネル２２の高さは、例えば脚構造として使用される壁３２によって決定される。越流チャネル２２では、壁５８が、その上を灌漑水が流れる底面を構成し得る。したがって、壁５８は、底壁６０よりも高い位置に配置される。
【００３９】
一例、および図１では、溝１２、１４の少なくとも一方が、前述の溝１２、１４の上方部分内に配置される上方空間３８、４０を含む。上方空間３８、４０は、図３に示されるように、生育基体７４、７６を対象としたものである。
【００４０】
前述の上方空間３８、４０は、基体７４、７６を溝１２、１４の下方空間２４、２６から離して所望の高さに保持するような構造を有することが好ましい。上方空間３８、４０は、上述のように、下に向かって先細の形状を有し得る。上方空間３８、４０は、頂部が開いており、かつ、少なくとも部分的に下方から開いている。上方空間３８、４０の形状は、仕切り壁構造２０、および側壁３４、３６によって定められる。
【００４１】
生育基体を支持するために、上方空間３８、４０と下方空間２４、２６との間に、狭くなるカラーまたは壁が設けられてもよい。前述の狭くなるカラーまたは壁は、仕切り壁構造２０もしくは側壁３４、３８、またはその両方に形成される。
【００４２】
下方空間２４、２６は、例えば多角形または矩形の形状を有することができ、または、下方空間２４、２６は、少なくとも部分的に頂部が開いていてもよい。灌漑水は、容器１０の溝１２、１４に沿って下方空間２４、２６に流入する。
【００４３】
上方空間３８、４０は、１つまたは複数の穴またはスリット２８、３０を介して、下方空間２４、２６に接続される。上述の狭くなるカラーまたは壁が、前述の穴またはスリット２８、３０を構成してもよい。あるいは、例えば、前述のスリット２８、３０は、やはり図１の例におけるように、仕切り壁２０、または側壁３４、３８、またはその両方に、それらの形状によって形成される。植物の根は、穴またはスリット２８、３０を介して溝１２、１４の下方部分に入ることができ、灌漑水は、穴またはスリット２８、３０を通って、スリット１２、１４の上方部分および生育基体７４、７６に入ることができる。
【００４４】
一例、および図１では、穴またはスリット２８、３０は、細長いものであり、かつ、容器１０の長手方向に延在する。前述の穴またはスリット２８、３０の長さは、仕切り壁構造２０の長さに相当する。
【００４５】
一例、および図１では、下方空間２４、２６は、容器１０の長手方向に延在する灌漑チャネルを構成する。前述の灌漑チャネルは、灌漑水を容器１０に沿って前方に運ぶように構成される。
【００４６】
前述の灌漑チャネルはまた、容器１０の横断方向における幅が前述の穴またはスリット２８、３０の幅よりも広い、矩形の形状を有し得る。
図２および４の例では、容器１０の少なくとも一方の端部６６、７０において、側壁３４、３６、および底壁６０は、仕切り壁構造２０よりも容器１０の長手方向にさらに延在する。これは、少なくとも灌漑水が供給されるように意図されている容器１０の第１の端部６６におけることが好ましい。結果として、側壁３４、３６、および底壁６０によって限定された第１の端部６６に空間が形成され、この空間内に灌漑水が供給され得る。
【００４７】
容器１０の第２の端部７０に、対応する空間が形成されてもよく、この空間を介して、灌漑水が容器１０から導出され得る。第２の端部７０は、端壁を伴わずに開いていてもよく、それにより、灌漑水は、底壁６０の縁部を越えて容器から排出される。一例では、容器１０の少なくとも一方の端部６６、７０において、側壁３４、３６は、容器１０の長手方向に底壁６０よりもさらに延在する。これは、灌漑水が側壁３４、３６の終端点の前でも底壁６０の末端縁を越えて容器１０から排出され得るように、容器１０の第２の端部７０におけることが好ましい。したがって、第２の端部７０は、容器の底壁６０が１つまたは複数の開口部を備え、その開口部を通じて灌漑水が容器および溝１２、１４から出て行くことができる、例示的な一実施形態と同様に、端壁によって閉じられてもよい。
【００４８】
図５および６に示されるように、容器１０の少なくとも一方の端部６０、７０、特に第１の端部６６が端壁６２によって閉じられることも、好ましい。
一例、および図２では、端壁６２は、少なくとも第１および第２の側壁３４、３６、ならびに底壁６０に固定され、かつ、第１の端部６６を閉鎖する。したがって、灌漑水は、容器１０の反対側の第２の端部７０に向かって、容器１０に沿って案内される。一例、ならびに図２および６では、第１の端部６６は、溝１２、１４、および越流チャネル２２の両方に接続された開けた空間を備え、灌漑水は、例えば仕切り壁構造２０の第１の端部６４を介して越流チャネル２２に入ることができる。一例、ならびに図２および６では、第２の端部７０もまた、溝１２、１４および越流チャネル２２の両方に接続された開いた空間を備え、灌漑水は、例えば仕切り壁構造２０の第２の端部６８を介して、越流チャネル２２から排出される。
【００４９】
一例、ならびに図１および図２では、仕切り壁構造２０は、１つまたは複数の穴７８を備え、灌漑水は、この穴７８を介して、溝１２、１４の一方または両方から越流チャネル２２内へ、または越流チャネル２２から溝１２、１４の一方または両方へ移動することができる。一例、ならびに図１および２では、穴７８は、溝１２から溝１４への、および溝１４から溝１２への灌漑水の流れを可能にする。いくつかの穴７８が設けられて、容器１０の長手方向において互いに間隔を置いて配置されることが、好ましい。一例では、穴７８は、仕切り壁構造２０に垂直の穴を穿孔することによって形成され、底壁６０の高さまで、または底壁６０の近くまで延在するか、あるいは、少なくとも越流チャネル２２から少なくとも一方の溝１２、１４への、また可能であれば溝１２と１４との間の連絡を提供する。
【００５０】
図４、および一例では、容器１０は、例えば各容器１０の側表面１６、１８が互いに当接するか接近するように容器１０が隣同士に配置されたときに、容器１０の横断方向における容器１０の溝１２、１４の中心間の距離Ｃが、前述の容器１０の最も外側の溝１２、１４の中心から隣接する容器１０の最も近い溝１２、１４の中心までの距離Ｃに実質的に等しくなるように、寸法取りされる。このようにして、植物は、栽培台上に規則的な間隔で配置され得る。
【００５１】
一例では、容器１０の高さＺは、３０ｍｍから５０ｍｍの間であり、好ましくは約４０ｍｍである。一例では、横断方向における容器１０の幅Ｘは、３５ｍｍから５５ｍｍの間であり、好ましくは約４５ｍｍである。一例では、距離Ｃは、１８ｍｍから２８ｍｍの間であり、好ましくは約２３ｍｍである。一例では、容器１０の長さＬは、５０００ｍｍから６０００ｍｍの間である。
【００５２】
一例では、容器１０の横断方向におけるスリット２８、３０の幅は、約４ｍｍであり、上方空間３８、４０の高さは、約１６ｍｍであり、下方空間２４、２６の高さは、約１０ｍｍである。一例では、容器の壁の厚さは、約１．５ｍｍまたは３ｍｍである。一例では、種が、例えば５０ｍｍの規則的な間隔で各生育基体７４、７６に配置される。隣り合った生育基体７４、７６の種は、例えば２５ｍｍの間隔で、容器１０の長手方向において互いに対して絡み合う態様で配置される。
【００５３】
提示した解決手段は、上述の例、代替形態、または実施形態だけに限定されるものではない。提示した解決手段では、上述の例を組み合わせて所望のタイプの水耕灌漑システムを形成することが可能である。提示した解決手段は、以下に提示される特許請求の範囲に記載の技術特性の範囲内で適用され得る。
【図１】
0006779898.tif 000002
【図２】
0006779898.tif 000003
【図３】
0006779898.tif 000004
【図４】
0006779898.tif 000005
【図５】
0006779898.tif 000006
【図６】
0006779898.tif 000007